(57)【特許請求の範囲】
【請求項１】
処理物が導入される投入口が上側に形成された中空構造体と、前記中空構造体に形成され、導入された前記処理物を粉砕する粉砕室と、前記粉砕室の下側に形成され、前記粉砕室から粉砕物が流入する粉砕物流入室と、前記粉砕物流入室に設けられ、粉砕物を装置外へ排出する排出路と、前記粉砕室にまで至る回転軸が取付けられたモーターと、前記粉砕室において前記回転軸に取付けられたランナーと、前記ランナーに取り付けられた回転刃と、前記中空構造体の内壁に固定され、回転刃と協働して処理物を粉砕する固定刃とを有し、前記ランナーを前記回転刃よりも前記投入口に近い上側に設け、前記投入口の直径を前記回転刃の長さよりも長く設け、前記中空構造体の高さを前記投入口の直径よりも高く設けた粉砕装置において、前記中空構造体の内径が前記中空構造体と粉砕物流入室との接合面から前記回転軸方向上側へいくにしたがって所定の内径値まで広がり、且つ、所定高さより上側へいくにしたがって狭まるものであり、ランナー最外郭のある一点Ａ、Ａを通り回転軸に平行な直線をＬ１、回転軸から延びる直線をＬ２、直線Ｌ１、Ｌ２を含む平面をＳ、点Ａを通り平面Ｓに含まれる直線をＬ３、直線Ｌ１とＬ３のなす角をΘ、投入口内径をＢ、直線Ｌ３と中空構造体内壁の交点から点Ａまでの距離をＣとしたとき、直線Ｌ３と中空構造体内壁が交差する範囲内においてＣ＞ＢｃｏｓΘとなるようにしたことを特徴とする粉砕装置。
【発明の詳細な説明】
【０００１】
【発明の属する技術分野】
本発明は、厨芥や発泡トレー、ペットボトル等を粉砕する粉砕装置に関する。
【０００２】
【従来の技術】
食物の屑である厨芥や発泡トレー、ペットボトル等を粉砕する粉砕装置としては、たとえば特開２０００−３４２９８８号公報（特願平１１−１５６１４７号）に記載されたものがある。
【０００３】
以下に上記従来の粉砕装置について説明する。
【０００４】
図４は従来の粉砕装置の概略構成を示す斜視図である。従来の粉砕装置は図４に示すように構成され、すなわち、厨芥や水等を投入するための投入口１の直下に粉砕室壁を形成する中空構造体２を配置し、その下部に粉砕物流入室４を形成してあり、さらに装置の下部に動力源となるモーター６を配置している。粉砕室壁を形成する中空構造体２内には、粉砕部と粉砕物流入室４とを仕切る底板３を配置してあり、また、内側に固定刃８を設けている。モーター６に直結されて高速回転する回転軸５は、中空構造体２の中心位置に延び、そして垂直に設置されている。回転軸５の中空構造体２側の端部にはランナー１２を取り付けてあり、ランナー１２には回転刃１１を中空構造体２の内側面方向に伸びるように取り付けている。図中の７は粉砕物流入室４から外部に向けて取り付けられた粉砕物を排出する排出路、９はシンク、１０は水栓、１４は被粉砕物である。
【０００５】
以上のように構成された従来の粉砕装置にいて、以下その動作を説明する。
【０００６】
図６において、厨芥を粉砕する際に水栓１０より水を流し、投入口１より厨芥と水を中空構造体２内に導入する。その後にモーター６を起動し、回転軸５を高速で回転させることによりランナー１２および回転刃１１が高速回転し、中空構造体２内に投入されていた厨芥は回転刃１１から受ける衝撃や、固定刃８と回転刃１１との間での切削により粉砕されていく。粉砕された厨芥物は粉砕物流入室４に流れ込んでいき、排出路７から排出される。
【０００７】
【発明が解決しようとする課題】
しかしながら上記のような従来の粉砕装置では、回転刃１１の長さ以上の大きさを持つ大型の柑橘類やすいかの皮等の、曲面を持った被粉砕物１４がランナー１２の上に乗り上げてしまうと、被粉砕物１４の外周が中空構造体２の内側面により水平方向の移動を拘束されると同時に、ランナー１２は被粉砕物１４の下で空転し続けるため、被粉砕物１４と回転刃１１が上手くあたらず粉砕し難いという問題があった。
【０００８】
本発明はこのような回転刃の長さよりも大きな柑橘類やすいかの皮等、曲面を持った被粉砕物を容易に粉砕する粉砕装置を提供することを目的とする。
【０００９】
【課題を解決するための手段】
上記目的を解決するために本発明は、中空構造体に形成された粉砕室とその下部に粉砕物が流入する粉砕物流入室をもち、粉砕室においてランナーに取り付けられた回転刃と中空構造体の内壁の固定刃とで導入された処理物を粉砕する粉砕装置であって、前記中空構造体の内径が前記中空構造体と粉砕物流入室との接合面から回転軸方向上側へいくにしたがって所定の内径値まで広がる構成の粉砕装置としたものである。
【００１０】
この本発明によれば、柑橘類やすいかの皮など曲面を持った被粉砕物を容易に粉砕する粉砕装置が得られる。
【００１１】
【発明の実施の形態】
本発明の請求項１に記載の発明は、処理物が導入される投入口が上側に形成された中空構造体と、前記中空構造体に形成され、導入された前記処理物を粉砕する粉砕室と、前記粉砕室の下側に形成され、前記粉砕室から粉砕物が流入する粉砕物流入室と、前記粉砕物流入室に設けられ、粉砕物を装置外へ排出する排出路と、前記粉砕室にまで至る回転軸が取付けられたモーターと、前記粉砕室において前記回転軸に取付けられたランナーと、前記ランナーに取り付けられた回転刃と、前記中空構造体の内壁に固定され、回転刃と協働して処理物を粉砕する固定刃とを有し、前記ランナーを前記回転刃よりも前記投入口に近い上側に設け、前記投入口の直径を前記回転刃の長さよりも長く設け、前記中空構造体の高さを前記投入口の直径よりも高く設けた粉砕装置において、前記中空構造体の内径が前記中空構造体と粉砕物流入室との接合面から前記回転軸方向上側へいくにしたがって所定の内径値まで広がり、且つ、所定高さより上側へいくにしたがって狭まるものであり、ランナー最外郭のある一点Ａ、Ａを通り回転軸に平行な直線をＬ１、回転軸から延びる直線をＬ２、直線Ｌ１、Ｌ２を含む平面をＳ、点Ａを通り平面Ｓに含まれる直線をＬ３、直線Ｌ１とＬ３のなす角をΘ、投入口内径をＢ、直線Ｌ３と中空構造体内壁の交点から点Ａまでの距離をＣとしたとき、直線Ｌ３と中空構造体内壁が交差する範囲内においてＣ＞ＢｃｏｓΘとなるようにしたことを特徴とする。
【００１２】
そのため、柑橘類やすいかの皮など曲面を持った被粉砕物は、ランナーや回転刃の回転によりランナーの上から容易に回転刃の上に移動でき、被粉砕物を容易に粉砕することが可能であるという作用を有する。そして、回転刃よりも大きく、投入口の径よりも小さい柑橘類やすいかの皮など曲面を持った被粉砕物が投入された場合でも、Ｃ＞ＢｃｏｓΘであれば、回転刃上で直径Ｂである球の体積分の空間が確保されるので、被粉砕物は回転刃上で容易にその姿勢を変更し、容易に粉砕することが可能であるという作用を有する。
【００１３】
以下、本発明の実施の形態について図面を参照して説明する。なお、各図面において前記従来の粉砕装置と同一の部材には従来の粉砕装置と同一の符号を付しており、また、重複した説明は省略されている。
【００１４】
（実施の形態１）
図１は、本発明の実施の形態１の粉砕装置の粉砕部の概略構成を示す断面図、図２は、同粉砕部の内部構造を透視して示す斜視図である。
【００１５】
図１および図２において、１は投入口、２は粉砕室を形成する中空構造体、３は底板、４は粉砕物流入室、５は回転軸、６はモーター、７は排出路、８は固定刃、９はシンク、１０は水栓、１１は回転刃、１２はランナー、１４は柑橘類やすいかの皮などの被粉砕物であり、中空構造体２の内径形状を除いては前記従来の技術と同様に構成されており、また、基本的な動作も前記従来の技術と同様であり、したがって、これらの詳細な説明は省略する。
【００１６】
この実施の形態１の粉砕装置は、粉砕室を形成する中空構造体２の形状に特徴を有し、すなわち、中空構造体２にはその内側壁部が外方向に膨らむように凹面部１３を施してあり、さらに詳しくは、中空構造体２の内径が中空構造体２と粉砕物流入室４との接合面から回転軸５方向上側へいくにしたがって、所定の内径値まで広がる構成としている。
【００１７】
ここで、投入された厨芥が回転刃１１の長さよりも大きな柑橘類やすいかの皮など曲面を持った被粉砕物１４であった場合でも、中空構造体２には凹面部１３が施されているため、被粉砕物１４は中空構造体２の中で水平方向に凹面部１３の窪み幅分、余計に移動可能となる。
【００１８】
図１において投入口１の内径をＢ、回転刃１１の上端から中空構造体２の最も内径の大きい箇所までの高さ、つまり凹面部１３の垂直方向の高さをＨ、凹面部１３の水平方向の膨らみ幅をＷ、回転刃１１の長さをＬとする。グレープフルーツなどの１／２カットされた皮が投入された場合、皮の最大径は投入口径と等しいＢとなり、舟形におかれたときの高さは１／２Ｂとなる。このグレープフルーツの皮が回転刃１１によって粉砕されるための理想的な状態は、舟形をした皮の最下点が回転刃１１に触れることである。よって（１／２Ｂ−Ｌ）≦Ｗ、０≦Ｈとなる。好ましくは（１／２Ｂ−１／２Ｌ）≦Ｗ≦１／２Ｂの範囲であり、Ｈ≒１／２Ｂである。
【００１９】
中空構造体２の内径を、中空構造体２と粉砕物流入室４との接合面から回転軸５方向上側へいくにしたがってすり鉢型に内径値を広げることで、被粉砕物１４はランナー１２や回転刃１１の回転によりランナー１２の上から容易に回転刃１１の上に移動でき、回転刃１１と固定刃８との共同作用により粉砕される。
【００２０】
（実施の形態２）
図３は、本発明の実施の形態２の粉砕装置の粉砕部の概略構成を示す断面図である。
【００２１】
この実施の形態２の粉砕装置は、厨芥を投入口１より投入し、厨芥を粉砕する際に水栓１０の蛇口を開けて水を流し、その後にモーター６を起動し、回転軸５を介して回転刃１１を回転状態にすること、中空構造体２内に投入されていた厨芥は回転刃１１から受ける衝撃や、固定刃８と回転刃１１との間での切削により粉砕され、回転刃１１が回転することにより、中空構造体２に投入された水や、粉砕されて小さくなった厨芥物は回転体１１の先端と対向する粉砕物流入室４の内壁面に押し付けられて、粉砕物流入室４へ流されていくこと、そして、投入された厨芥が回転刃１１の長さよりも大きな柑橘類やすいかの皮など曲面を持った被粉砕物１４であった場合でも、被粉砕物１４はランナー１２や回転刃１１の回転によりランナー１２の上から容易に回転刃１１の上に移動でき、回転刃１１と固定刃８との共同作用により粉砕する動作は、前記実施の形態１と同様である。
【００２２】
ここで、図３においてランナー１２の最外郭のある一点Ａ、Ａを通り回転軸５に平行な直線をＬ１、回転軸５から延びる直線をＬ２、直線Ｌ１、Ｌ２を含む平面をＳ、Ａを通りＳに含まれる直線をＬ３、Ｌ１とＬ３のなす角をΘ、投入口１の内径をＢ、直線Ｌ３と中空構造体２の内壁の交点からＡまでの距離をＣとする。
【００２３】
この実施の形態２の粉砕装置の粉砕部は、上記においてＣ＞ＢｃｏｓΘとした構成に特徴を有する。
【００２４】
この構成により、回転刃１１よりも大きく、投入口１の径よりも小さい柑橘類やすいかの皮など曲面を持った被粉砕物１４が投入された場合でも、Ｃ＞ＢｃｏｓΘであれば、回転刃１１上で直径Ｂである球の体積分の空間が確保されるので、被粉砕物１４は回転刃１１上で容易にその姿勢を変更し、回転刃１１と固定刃８との協働作業により粉砕される。
【００２５】
さらに詳しくは、投入された厨芥が回転刃１１の長さよりも大きな柑橘類やすいかの皮など曲面を持った被粉砕物１４であった場合、より早く粉砕されるためには被粉砕物１４が中空構造体２の内壁に拘束されること無く、回転刃１１の上で自由に水平軸に対して回転できることである。つまり舟形になって投入されたグレープフルーツの１／２カットの皮などが容易に上下方向に回転でき、姿勢の変更が回転刃１１の上で行われると、粉砕容易なカット面が回転刃１１に当たり易くなり容易に粉砕することができる。
【００２６】
なお、以上説明した粉砕装置においては厨芥を処理物としているが、本発明は、たとえば発泡トレーやペットボトルなど、厨芥以外を処理物とする粉砕にも適用することができる。すなわち、発泡トレーやペットボトル用に回転刃１１や回転刃１１の先端部材を変えて粉砕する場合でも、ランナー１２の上に乗ること無く回転刃１１の上で容易に姿勢を変えることができるので、粉砕されずに残ることなく速やかに粉砕される。
【００２７】
【発明の効果】
以上の説明より明らかなように本発明によれば、回転刃や中空構造体および底板の径を大きくしなくても、回転刃の長さよりも大きな柑橘類やすいかの皮など曲面を持った被粉砕物の粉砕可能となるため、粉砕装置の大型化、モーターのトルクアップを行う必要が無いという有利な効果が得られる。
【図面の簡単な説明】
【図１】本発明の実施の形態１の粉砕装置の粉砕部の概略構成を示す断面図
【図２】同粉砕部の内部構造を透視して示す斜視図
【図３】本発明の実施の形態２の粉砕装置の粉砕部の概略構成を示す断面図
【図４】従来の粉砕装置の概略構成を示す斜視図
【符号の説明】
１  投入口
２  中空構造体
３  底板
４  粉砕物流入室
５  回転軸
６  モーター
７  排出路
８  固定刃
９  シンク
１０  水栓
１１  回転刃
１２  ランナー
１３  凹面部
１４  被粉砕物
【図１】
0004736195.tif 000002
【図２】
0004736195.tif 000003
【図３】
0004736195.tif 000004
【図４】
0004736195.tif 000005